(57)【要約】【課題】ユーザが現場でより適切な対応を行うことを可能にする機器情報を提供することができる監視盤装置及び制御方法を提供することである。【解決手段】実施形態の監視盤装置は、制御部と、入力部と、を持つ。制御部は、対象機器に関する機器情報を表示部に表示させる。入力部は、前記機器情報の表示に関する操作の入力を受け付ける。前記制御部は、前記表示部による過去の機器情報の表示の遷移を再現する再生動作を指示する操作が入力された場合、時系列に取得された過去の機器情報のうち、前記操作によって指定された期間に取得された機器情報を、それぞれの取得タイミングに応じた順序及びタイミングで前記表示部に表示させる。【選択図】図２
2020098417.tif 000002
【特許請求の範囲】
【請求項１】
対象機器に関する機器情報を表示部に表示させる制御部と、
前記機器情報の表示に関する操作の入力を受け付ける入力部と、
を備え、
前記制御部は、前記表示部による過去の機器情報の表示の遷移を再現する再生動作を指示する操作が入力された場合、時系列に取得された過去の機器情報のうち、前記操作によって指定された期間に取得された機器情報を、それぞれの取得タイミングに応じた順序及びタイミングで前記表示部に表示させる、
監視盤装置。
【請求項２】
前記制御部は、前記再生動作を指示する操作が入力されない場合、現在の機器情報を前記表示部に表示させる、
請求項１に記載の監視盤装置。
【請求項３】
前記制御部は、連続する過去の機器情報を、取得時の時間間隔で、かつ時系列に前記表示部に表示させる、
請求項１又は２に記載の監視盤装置。
【請求項４】
前記制御部は、連続する過去の機器情報を、取得時の時間間隔と、前記操作によって指定された値とに基づいて決定される時間間隔で、かつ時系列に前記表示部に表示させる、
請求項１又は２に記載の監視盤装置。
【請求項５】
前記入力部は、基準位置からの回転量に応じた値を出力するダイヤル部を備え、
前記制御部は、前記回転量に応じた値に基づいて前記期間を決定する、
請求項１から４のいずれか一項に記載の監視盤装置。
【請求項６】
前記ダイヤル部は、自身の回転量を固定する外力が作用していない場合に前記回転量を所定の時間をかけてゼロに戻す機構を有し、
前記制御部は、前記外力が消滅したタイミングで前記再生動作を開始する、
請求項５に記載の監視盤装置。
【請求項７】
対象機器に関する機器情報を表示部に表示させる制御部と、
前記機器情報の表示に関する操作の入力を受け付ける入力部と、
を備える監視盤装置が、
前記表示部による過去の機器情報の表示の遷移を再現する再生動作を指示する操作が入力された場合、時系列に取得された過去の機器情報のうち、前記操作によって指定された期間に取得された機器情報を、それぞれの取得タイミングに応じた順序及びタイミングで前記表示部に表示させる、
制御方法。
【発明の詳細な説明】
【技術分野】
【０００１】
本発明の実施形態は、監視盤装置及び制御方法に関する。
【背景技術】
【０００２】
ポンプ場や配水場などの中小規模の機場では、比較的安価な監視盤を各機場側に設置し、遠隔地側に設置されたＤＳＰ（Digital Signal Processor）装置等の遠方監視制御装置で複数の機場を監視する場合がある。ここで、監視盤とは、各種プラント等において用いられる表示装置であり、各種の指示器や表示灯、画像の表示等によって各種計装機器の状態表示を行う装置であり、一般に対象機器の設置場所付近（以下「現場」という。）に設置される。維持管理者や監視員等は、各監視盤の表示を目視することで対象機器の状態確認を行う。
【０００３】
しかしながら、このような従来の監視盤では、対象機器に異常が発生した場合などにおいて、ユーザが監視盤に表示されている情報のみで異常の原因を推定することが困難であり、現場側で十分な対応ができない場合があった。
【先行技術文献】
【特許文献】
【０００４】
【特許文献１】特開２０１５−１６５３４３号公報
【特許文献２】特開２０１０−１１７７４２号公報
【特許文献３】特開２０１６−１４６０１４号公報
【特許文献４】特開２０１６−９１２９２号公報
【発明の概要】
【発明が解決しようとする課題】
【０００５】
本発明が解決しようとする課題は、ユーザが現場でより適切な対応を行うことを可能にする機器情報を提供することができる監視盤装置及び制御方法を提供することである。
【課題を解決するための手段】
【０００６】
実施形態の監視盤装置は、制御部と、入力部と、を持つ。制御部は、対象機器に関する機器情報を表示部に表示させる。入力部は、前記機器情報の表示に関する操作の入力を受け付ける。前記制御部は、前記表示部による過去の機器情報の表示の遷移を再現する再生動作を指示する操作が入力された場合、時系列に取得された過去の機器情報のうち、前記操作によって指定された期間に取得された機器情報を、それぞれの取得タイミングに応じた順序及びタイミングで前記表示部に表示させる。
【図面の簡単な説明】
【０００７】
【図１】第１の実施形態における監視制御システムのシステム構成の具体例を示す図。
【図２】第１の実施形態における監視盤装置の機能構成の具体例を示す図。
【図３】第１の実施形態における機器情報の具体例を示す図。
【図４】第１の実施形態における表示部１２及び再生操作入力部１４の具体例を示す図。
【図５】第１の実施形態における再生操作の具体例を示す図。
【図６】第１の実施形態における監視盤装置１が機器情報を再生する処理の流れを示すフローチャート。
【図７】第２の実施形態における監視盤装置の機能構成の具体例を示す図。
【図８】第２の実施形態における表示部１２、再生操作入力部１４ａ及び再生速度入力部１６の具体例を示す図。
【図９】第２の実施形態において再生速度を指定する操作の具体例を示す図。
【図１０】第２の実施形態における監視盤装置１ａが機器情報を再生する処理の流れを示すフローチャート。
【発明を実施するための形態】
【０００８】
以下、実施形態の監視盤装置及び制御方法を、図面を参照して説明する。
【０００９】
（第１の実施形態）
図１は、第１の実施形態における監視制御システムのシステム構成の具体例を示す図である。図１に示す監視制御システム１００は第１の実施形態における監視制御システムの一例である。例えば、監視制御システム１００は、監視盤装置１、制御装置２、制御対象機器３、データサーバ４及び遠方監視制御装置５を備える。監視盤装置１は、制御装置２と通信可能に接続され、制御対象機器３の状態表示を行う機能を有する。制御装置２は制御対象機器３を制御するとともに、制御対象機器３の状態表示に必要な情報を監視盤装置１に出力する機能を有する。また、制御装置２は、ネットワークＮを介してデータサーバ４と通信可能に接続され、制御対象機器の監視又は制御に関する情報（以下「制御対象情報」という。）をデータサーバ４に送信する。データサーバ４は、制御装置２から受信される制御対象情報を蓄積するとともに、必要に応じて遠方監視制御装置５に提供する。遠方監視制御装置５は、データサーバ４から提供される制御対象情報に基づいて制御対象機器の遠隔監視又は遠隔制御を実現する機能を有する。
【００１０】
なお、簡単のため図１には、監視盤装置１、制御装置２、制御対象機器３、データサーバ４及び遠方監視制御装置５をそれぞれ１台ずつ備えた監視制御システム１００を示しているが、各装置の台数は２台以上であってもよい。また、データサーバ４は複数の制御装置２から制御対象情報を取得してもよく、この場合、遠方監視制御装置５は異なる複数の現場の制御対象機器について遠隔監視又は遠隔制御を行うものであってもよい。
【００１１】
図２は、第１の実施形態における監視盤装置の機能構成の具体例を示す図である。監視盤装置１は、バスで接続されたＣＰＵ（Central Processing Unit）やメモリや補助記憶装置などを備え、プログラムを実行する。監視盤装置１は、プログラムの実行によって機器情報記憶部１１、表示部１２、機器情報入力部１３、再生操作入力部１４及び制御部１５を備える装置として機能する。なお、監視盤装置１の各機能の全て又は一部は、ＡＳＩＣ（Application Specific Integrated Circuit）やＰＬＤ（Programmable Logic Device）やＦＰＧＡ（Field Programmable Gate Array）等のハードウェアを用いて実現されてもよい。プログラムは、コンピュータ読み取り可能な記録媒体に記録されてもよい。コンピュータ読み取り可能な記録媒体とは、例えばフレキシブルディスク、光磁気ディスク、ＲＯＭ、ＣＤ−ＲＯＭ等の可搬媒体、コンピュータシステムに内蔵されるハードディスク等の記憶装置である。プログラムは、電気通信回線を介して送信されてもよい。
【００１２】
機器情報記憶部１１は、磁気ハードディスク装置や半導体記憶装置などの記憶装置を用いて構成される。機器情報記憶部１１は機器情報を記憶する。
【００１３】
図３は、第１の実施形態における機器情報の具体例を示す図である。例えば、機器情報は、図３に示す機器情報テーブルＴ１の態様で機器情報記憶部１１に記憶される。機器情報テーブルＴ１は、Ｍ（１以上の整数）個の値を含む機器情報が１秒ごとに取得される場合の例であり、タイムスタンプごとのレコードを有する。ここで、機器情報に含まれるＭ個の各値は、表示部１２が有する各種表示手段に対応する。各レコードは、タイムスタンプ及び機器情報の各値を有する。タイムスタンプは機器情報が取得されたタイミングを表す。タイムスタンプの値は、機器情報の一部として制御装置２から取得されてもよいし、監視盤装置１が機器情報の取得に応じて付与してもよい。
【００１４】
図２の説明に戻る。表示部１２は、各種の指示器や表示灯、画像の表示等によって各種計装機器の状態表示を行う機能部である。具体的には、表示部１２は、制御部１５によって入力される機器情報に含まれる各値を対応する各表示手段に出力する。例えば、図３の例において値１がある指示器に指示させるべき値である場合、表示部１２は値１をその指示器に出力する。なお、各表示手段ごとに機器情報の入力形式が異なる場合、表示部１２は、機器情報を各表示手段の入力形式に変換する機能を有してもよい。
【００１５】
機器情報入力部１３は、監視盤装置１を制御装置２と通信可能に接続する通信インタフェースを含み、制御装置２から機器情報を入力する機能を有する。機器情報入力部１３は、制御装置２から入力した機器情報を機器情報記憶部１１に記憶させる。
【００１６】
再生操作入力部１４は、監視盤装置１に対して過去の機器情報の再生動作を指示する操作（以下「再生操作」という。）の入力を受け付ける入力インタフェースである。ここで、再生動作とは、表示部１２に対して、過去の機器情報を時系列に表示させる動作のことをいう。換言すれば、再生動作とは、過去の機器情報の表示の遷移を再生することということができる。また、この再生動作を指示する操作（再生操作）とは、再生対象とする機器情報の期間（以下「再生期間」という。）、及び再生を開始するタイミング（以下「再生開始タイミング」という。）を指定する操作である。再生操作入力部１４は、再生操作によって指定された再生期間及び再生開始タイミングを制御部１５に通知する。
【００１７】
制御部１５は、表示部１２に対して現在の機器情報を表示させるとともに、再生操作の入力に応じて、表示部１２に過去の機器情報の再生動作を行わせる機能を有する。具体的には、表示部１２に対して現在の機器情報を表示させる場合、制御部１５は機器情報記憶部１１から最新の機器情報を逐次取得して表示部１２に出力する。これにより、制御装置２から連続的に入力される最新の機器情報が表示部１２に表示される。
【００１８】
一方、表示部１２に過去の機器情報の再生動作を行わせる場合、制御部１５は、再生操作入力部１４によって指定された再生期間において取得された機器情報を機器情報記憶部１１から取得し、取得した機器情報を時系列かつ取得タイミングの間隔に合わせて順次出力していく。これにより、表示部１２の各表示手段において、過去においてなされた機器情報の表示の遷移が再現される。
【００１９】
図４は、第１の実施形態における表示部１２及び再生操作入力部１４の具体例を示す図である。例えば、表示部１２は、図４に示すような指示器１２１、表示灯パネル１２２、グラフィックパネル１２３などの表示手段を有する。指示器１２１は指示値を指し示す装置であり、表示灯パネル１２２は指示値に応じて各表示等の点灯状態を変更する装置である。また、グラフィックパネル１２３は、画像の表示によって対象機器の状態を表示する装置である。
【００２０】
なお、グラフィックパネル１２３は、ＣＲＴ（Cathode Ray Tube）ディスプレイや液晶ディスプレイ、有機ＥＬ（Electro-Luminescence）ディスプレイ等の表示装置であってもよいし、表示の一部又は全部に、表示等による表示や図柄を有したパネル等の部材による表示を含むものであってもよい。
【００２１】
また、図４に示す再生操作入力部１４は、ダイヤル１４１を所定方向に回転させることによって再生期間及び再生開始タイミングを指定することができる再生操作入力部の一例である。例えば、再生操作入力部１４は、ダイヤル式の電子レンジにおいて加熱時間及び加熱の開始タイミングを指定するタイマ部と同様の機構を有するものであってもよい。この場合、再生期間はダイヤル１４１の回転量によって与えられ、再生開始タイミングはダイヤル１４１から手を離したタイミングによって与えらえる。
【００２２】
図５は、第１の実施形態における再生操作の具体例を示す図である。図５において、ダイヤル１４１には指示位置を示す基準線Ｌ１が描かれている。ダイヤル１４１は、再生動作が行われていないときに基準線Ｌ１が現在位置（図中の０の位置）に位置するように構成される。また、ダイヤル１４１の周辺にはダイヤルの回転量に応じた再生期間が記載されている。図４は、３／４回転で最大１８時間までの再生期間を指定することができるダイヤルの例を示している。ここでは、一例として６時間前から現在までの機器情報を再生するときの再生操作について説明する。
【００２３】
（再生操作＃１）
まず、ユーザは、ダイヤル１４１を図の実線矢印方向に『６時間』の位置まで回転させる。これにより、再生期間として６時間が指定される。
【００２４】
（再生操作＃２）
続いて、ユーザは、指定した再生期間での機器情報の再生を開始したいタイミングでダイヤル１４１から手を放す。ここでダイヤル１４１は、再生期間を所定時間に固定する力が（外力の一例）働いていない場合に、基準線Ｌ１を所定の速度で基準位置（図中の０の位置）に戻す力（すなわち回転量をゼロにする方向に回転させる力）が働くように構成されている。ダイヤル１４１は再生期間を固定する力が働かなくなった（すなわち外力が消滅した）タイミングを制御部１５に通知することにより、制御部１５に対して再生開始タイミングを指定する。
【００２５】
再生操作＃１及び＃２の後、機器情報の再生操作が開始される。再生中は、ダイヤル１４１を基準位置に戻す力の作用により、再生の進行に応じて基準線Ｌ１が基準位置に戻っていく。ここで、ダイヤル１４１を基準位置に戻す力は、基準線Ｌ１が再生の終了時に基準位置に戻ってくるように調整されるものとする。
【００２６】
図６は、第１の実施形態における監視盤装置１が機器情報を再生する処理の流れを示すフローチャートである。まず、制御部１５は、再生操作入力部１４を介して機器情報の再生操作が入力されたか否かを判定する（ステップＳ１０１）。制御部１５は、機器情報の再生操作が入力されたと判定した場合（ステップＳ１０１−ＹＥＳ）、再生操作によって指定された再生期間において取得された機器情報を機器情報取得部１１から取得し（ステップＳ１０２）し、取得した機器情報の再生を開始する。例えば、機器情報の再生動作は、制御部１５が以下の各処理を実行することによって実現される。
【００２７】
（初期処理）取得した機器情報のうちで最も早く取得された機器情報（以下「第１機器情報」という。）を選択し、選択した第１機器情報を表示部１２に出力する（ステップＳ１０３）。
（処理１）取得した機器情報のうちで第１機器情報の次に早く取得された機器情報（以下「第２機器情報」という。）を選択する（ステップＳ１０４）。
（処理２）第２機器情報の出力タイミングを待機する（ステップＳ１０５）。ここで、第２機器情報の出力タイミングは、第１機器情報の出力タイミングから、第１機器情報の取得タイミングと第２機器情報の取得タイミングとの時間差（時間間隔）に相当する時間が経過したタイミングである。
（処理３）第２機器情報を表示部１２に出力する（ステップＳ１０６）。
（処理４）機器情報の再生が終了したかを判定する（ステップＳ１０７）。
（処理５）機器情報の再生が終了した場合（ステップＳ１０７−ＹＥＳ）には再生動作を終了し、再生が終了していない場合（ステップＳ１０７−ＮＯ）には第２機器情報を第１機器情報として処理１（ステップＳ１０４）に戻る（ステップＳ１０８）。
【００２８】
一方、ステップＳ１０１において、機器情報の再生操作が入力されなかったと判定した場合（ステップＳ１０１−ＮＯ）、又はステップＳ１０７において再生動作が終了したと判定した場合（ステップＳ１０７−ＹＥＳ）、制御部１５は現在の機器情報を機器情報記憶部１１から取得し（ステップＳ１０９）、取得した機器情報を表示部１２に出力する（ステップＳ１１０）。
【００２９】
このように構成された第１の実施形態の監視盤装置１によれば、再生操作が入力されていないときには表示部１２に現在の機器情報を表示させ、再生操作が入力されたときには表示部１２に過去の機器情報を再生させることができるため、ユーザが現場でより適切な対応を行うことが可能になる。
【００３０】
（第２の実施形態）
図７は、第２の実施形態における監視盤装置の機能構成の具体例を示す図である。第２の実施形態における監視盤装置１ａは、再生速度入力部１６をさらに備える点、再生操作入力部１４に代えて再生操作入力部１４ａを備える点、制御部１５に代えて制御部１５ａを備える点、で第１の実施形態における監視盤装置１と異なる。その他の構成については第１の実施形態における監視盤装置１と同様のため、図７では第１の実施形態と同様の機能部に図２と同じ符号を付すことにより、ここでの説明を省略する。
【００３１】
再生速度入力部１６は、監視盤装置１に対して機器情報の再生速度を指定する操作の入力を受け付ける入力インタフェースである。ここで、再生速度とは、時系列の機器情報を表示部１２に出力する頻度のことをいい、第２の実施形態では、監視盤装置１に対して再生速度を指定する操作も再生操作に含まれるものとする。再生速度入力部１６は、再生操作によって指定された再生速度を再生操作入力部１４ａ及び制御部１５ａに通知する。
【００３２】
再生操作入力部１４ａは、第１の実施形態における再生操作入力部１４と同様の機能を有することに加え、機器情報の再生動作中において、再生速度入力部１６から通知された再生速度に応じた速度でダイヤル１４１を基準位置に戻す機能を有する。具体的には、再生操作入力部１４ａは、ダイヤル１４１の基準線Ｌ１が再生動作の終了時において基準位置に位置しているようにダイヤル１４１の回転速度を調整する。
【００３３】
制御部１５ａは、表示部１２に対して現在の機器情報を表示させる機能、及び再生操作の入力に応じて表示部１２に過去の機器情報を再生させる機能を有する点では第１の実施形態における制御部１５と同様であるが、指定された再生速度に応じて再生動作の速度を調整する機能を有する点で第１の実施形態における制御部１５と異なる。
【００３４】
図８は、第２の実施形態における表示部１２、再生操作入力部１４ａ及び再生速度入力部１６の具体例を示す図である。なお、図８において再生速度入力部１６以外の構成は第１の実施形態と同様のため、同様の機能部には図４と同じ符号を付すことによりここでの説明を省略する。
【００３５】
図８に示す再生速度入力部１６は、再生操作入力部１４ａと同様に、ダイヤル１６１を所定方向に回転させることによって再生速度を指定することができる再生速度入力部の一例である。この場合、再生速度はダイヤル１６１の回転量によって与えられる。
【００３６】
図９は、第２の実施形態において再生速度を指定する操作の具体例を示す図である。図９において、ダイヤル１６１には指示位置を示す基準線Ｌ２が描かれている。ダイヤル１６１の指示位置は任意の点に固定可能であり、再生操作入力部１４ａのように能動的に基準位置に戻ることはない。図９は、３／４回転で最大８倍速までの再生速度を指定することができるダイヤルの例を示している。例えば、図９の場合、基準線Ｌ２が“１倍”を指しているため、この状態での再生動作は第１の実施形態と同様に指定された再生期間の時間で完了することになる。一方、基準線Ｌ２が例えば“２倍”を指している場合、この状態での再生動作は指定された再生期間の時間の半分で完了することになる。
【００３７】
図１０は、第２の実施形態における監視盤装置１ａが機器情報を再生する処理の流れを示すフローチャートである。なお、図１０では、第１の実施形態と同様の処理には図６と同じ符号を付すことにより、ここでは説明を省略する。また、ここでは、監視盤装置１ａにおいて、常時いずれかの再生速度が指定されているものとし、図１０のフローチャートの開始時点においてユーザの所望する再生速度が予め指定されているものとする。
【００３８】
この場合、制御部１５ａは、指定された再生速度に基づいて第２機器情報を出力するまでの待機時間を算出し、算出した待機時間だけ第２機器情報の出力を待機する（ステップＳ１０５ａ）。
【００３９】
具体的には、制御部１５ａは、第１機器情報の取得タイミングと第２機器情報の取得タイミングとの時間差を求め、その時間差に再生速度に基づく倍率を乗算することにより待機時間を算出する。そして、制御部１５ａは、第１機器情報の出力タイミングから、算出した待機時間に相当する時間が経過したタイミングにおいて第２機器情報を表示部１２に出力する。
【００４０】
このように構成された第２の実施形態の監視盤装置１ａによれば、再生期間及び再生開始タイミングに加えて再生速度を指定することができるため、機器情報の再生にかかる時間を必要に応じて短縮することが可能になる。
【００４１】
（変形例）
ダイヤル１４１は、再生期間を所定時間に固定する力が働いていない場合に、必ずしも基準線Ｌ１を所定の速度で基準位置（図中の０の位置）に戻す力が働くように構成されている必要はない。例えば、ダイヤル１４１は、再生動作中には常に、指定された再生期間を指し示し、再生動作の完了時において基準位置に戻されるように構成されてもよい。この場合、監視盤装置１には、再生開始タイミングを入力するための入力部が再生操作入力部１４とは別に設けられてもよい。
【００４２】
監視盤装置１は、機器情報の再生を自動的に行うのではなく、ダイヤル１４１の回転量に応じた過去の時間の機器情報を表示部１２に表示させるように構成されてもよい。このような構成によれば、ユーザは機器情報の再生を手動で行うことが可能になる。
【００４３】
機器情報入力部１３は、取得した機器情報を機器情報記憶部１１に記憶させるとともに、制御部１５に出力するように構成されてもよい。このような構成によれば、制御部１５は現在の機器情報を表示部１２に表示させる際に、機器情報記憶部１１から現在の機器情報を取得する手間を省略することができる。
【００４４】
再生期間、再生開始タイミング又は再生速度を指定するための各入力部は、必ずしもダイヤル式の入力部を用いて構成される必要はない。また、再生期間、再生開始タイミング及び再生速度は、それぞれ別の入力部によって入力されてもよい。例えば、再生期間又は再生速度は、シークバー等の入力装置を用いて入力されてもよいし、複数のボタンを備えた選択式の入力装置を用いて構成されてもよい。また、例えば、再生開始タイミングはボタン式の入力装置を用いて構成されてもよい。
【００４５】
制御部１５は、再生動作中において、機器情報の再生に関する情報を表示部１２に表示させるように構成されてもよい。例えば、制御部１５は、再生中の機器情報が取得されたタイミングを表示部１２に表示させてもよいし、機器情報の再生によって検出された過去の異常等に関する情報を表示部１２に表示させてもよい。
【００４６】
再生操作入力部１４又は再生速度入力部１６は、再生動作中において新たな再生操作の入力を受け付けるように構成されてもよい。例えば、制御部１５は、新たな再生操作の入力によって再生期間及び再生開始タイミングが変更された場合、処理をステップＳ１０２に戻すことによって新たな再生動作を開始してもよい。また、例えば、制御部１５は、新たな再生操作の入力によって再生速度が変更された場合、それ以降の第２機器情報の出力タイミングを新たな再生速度に基づいて決定するように構成されてもよい。
【００４７】
以上説明した少なくともひとつの実施形態によれば、対象機器に関する機器情報を表示部に表示させる制御部と、機器情報の表示に関する操作の入力を受け付ける再生操作入力部と、を持ち、制御部が、表示部による過去の機器情報の表示の遷移を再現する再生動作を指示する操作が入力された場合、時系列に取得された過去の機器情報のうち、上記操作によって指定された期間に取得された機器情報を、それぞれの取得タイミングに応じた順序及びタイミングで記表示部に表示させることにより、ユーザが現場でより適切な対応を行うことを可能にする機器情報を提供することができる監視盤装置及び制御方法を提供することができる。
【００４８】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００４９】
１００…監視制御システム、１，１ａ…監視盤装置、１１…機器情報記憶部、１２…表示部、１２１…指示器、１２２…表示灯パネル、１２３…グラフィックパネル、１３…機器情報入力部、１４，１４ａ…再生速度を再生操作入力部、１４１…ダイヤル、１５，１５ａ…制御部、１６…再生速度入力部、１６１…ダイヤル、２…制御装置、３…制御対象機器、４…データサーバ、５…遠方監視制御装置、Ｌ１，Ｌ２…基準線、Ｔ１…機器情報テーブル、Ｎ…ネットワーク
【図１】
2020098417.tif 000003
【図２】
2020098417.tif 000004
【図３】
2020098417.tif 000005
【図４】
2020098417.tif 000006
【図５】
2020098417.tif 000007
【図６】
2020098417.tif 000008
【図７】
2020098417.tif 000009
【図８】
2020098417.tif 000010
【図９】
2020098417.tif 000011
【図１０】
2020098417.tif 000012